(57)【要約】  本発明は、許可されていない移動無線端末（Ｂ）と移動無線ネットワーク（Ｄ）のベースステーション（Ｃ）との間の無線リンクを確立するための方法に関する。本発明によれば、移動無線ネットワーク（Ｄ）へのアクセスとしてベースステーション（Ｃ）を用いるために、移動無線端末（Ｂ）に許可が与えられるが、前記移動無線端末（Ｂ）は、少なくとも一時的に、特に手動で許可されることが可能で、ベースステーション（Ｃ）は、対応する解放通知を移動無線端末（Ｂ）に送信し、移動無線端末（Ｂ）と移動無線ネットワーク（Ｄ）のベースステーション（Ｃ）との間の無線リンクが確立される。
2011504700.tif 000002
【特許請求の範囲】
【請求項１】
許可されていない移動無線端末（Ｂ）と移動無線ネットワーク（Ｄ）のベースステーション（Ｃ）との間の無線リンクを確立するための方法であって、前記移動無線ネットワーク（Ｄ）へのアクセスポイントとして前記ベースステーションを利用するために、前記移動無線端末（Ｂ）の許可を必要とする方法において、前記移動無線端末（Ｂ）を少なくとも一時的に、特に手動で許可できること、および前記ベースステーション（Ｃ）が、対応する承認メッセージを前記移動無線端末（Ｂ）に送信すること、および無線リンクが、前記移動無線端末（Ｂ）と前記移動無線ネットワーク（Ｄ）の前記ベースステーション（Ｃ）との間で設定されること、を特徴とする方法。
【請求項２】
第２の移動無線端末（Ｂ）の一時的な許可または手動の許可の少なくとも一方が、許可された移動無線端末（Ａ）から前記移動無線ネットワークへの許可メッセージの送信によってもたらされることを特徴とする、請求項１に記載の方法。
【請求項３】
前記許可されていない移動無線端末（Ｂ）の登録の試みまたは接続設定の試みの少なくとも一方が、対応するメッセージが前記ベースステーション（Ｃ）によって生成されるという点において、許可メッセージまたは手動の許可の少なくとも一方の要求を前記ベースステーション（Ｃ）にて引き起こすことを特徴とする、請求項１または２に記載の方法。
【請求項４】
一般的または一時的に許可された移動無線端末（Ａ、Ｂ）の識別が、ＭＳＩＳＤＮによってもたらされることを特徴とする、請求項１〜３のいずれか一項に記載の方法。
【請求項５】
一般的または一時的に許可された移動無線端末（Ａ、Ｂ）の識別が、前記ベースステーション（Ｃ）または前記移動無線ネットワーク（Ｄ）の少なくとも一方に格納されることを特徴とする、請求項１〜４のいずれか一項に記載の方法。
【発明の詳細な説明】
【技術分野】
【０００１】
本発明は、許可されていない移動無線端末と移動無線ネットワークのベースステーションとの間の無線リンクを確立するための方法であって、移動無線ネットワークへのアクセスポイントとしてベースステーションを利用するには、移動無線端末の許可を必要とする方法に関する。
【背景技術】
【０００２】
無線リンクを割り当てるための標準化された機構によって、閉グループだけに解放されている無線ネットワークアクセスポイントへの野放しのアクセスが防止される。移動無線端末が、既存のマクロセルネットワークを介して、すなわち例えば、移動無線端末に対して閉じられてなく、かつことによるとより大きな範囲を有する隣接する無線ネットワークアクセスポイントを介して、許可されたアクセスポイントを通知されること、およびこれらの許可されたアクセスポイントが移動無線端末（またはことによりそこに含まれる加入者識別モジュール（ＳＩＭ））に格納されていることが、先行技術の状態である。
【０００３】
既存のマクロセルカバレッジがない場合には、移動無線端末と移動無線ネットワークとの間のリンクはなく、その結果、対応するいかなる割り当ても、すなわち許可されたアクセスポイントの情報提供も同様にあり得ない。
【発明の概要】
【発明が解決しようとする課題】
【０００４】
本発明の目的は、たとえ移動無線端末と移動無線ネットワークとの間のリンクが現在なくても、移動無線ネットワークへのアクセスを提供するために、無線ネットワークアクセスポイント、すなわち特に移動無線ネットワークのベースステーションに移動無線端末を登録できるようにする方法を提供することである。
【課題を解決するための手段】
【０００５】
本発明によれば、この目的は、請求項１に記載の方法によって達成される。
【０００６】
許可されていない移動無線端末と移動無線ネットワークのベースステーションとの間の無線リンクを確立する方法であって、移動無線ネットワークへのアクセスポイントとしてのベースステーションの利用が、移動無線端末の許可を必要とする方法において、移動無線端末を少なくとも一時的に、特に、手動で許可できることと、ベースステーションが、対応する承認メッセージを移動無線端末に送信することと、無線リンクが、移動無線端末と移動無線ネットワークのベースステーションとの間で設定されることとが、この文脈において特に有利である。
【０００７】
その結果、それ自体は許可されていない移動無線端末に関してもまた、アクセスが制限された既存のベースステーションを移動無線ネットワークへのアクセスとして用いることが可能になる。これには、ベースステーションの所有者かメインユーザかまたは管理者による、例えば訪問者の対応する一時的および／または手動の許可を必要とする。
【０００８】
解放が必要である。なぜなら、エリアにおける例えば訪問者の、実際には許可されていない移動無線端末は、次の事実ゆえに、移動無線端末によるダイヤルインポイントとして選択されないであろうからである。すなわち、エリアに存在するベースステーションが、移動無線ネットワークへの許可可能なアクセスポイントとして移動無線端末に格納されていないという事実、つまり移動無線端末が、現在は無線リンクがない移動無線ネットワークへのアクセスポイントとして、既存のベースステーションに登録しようと試みないであろうという事実ゆえである。しかしながら、一時的および／または手動の解放、すなわち、さらなる移動無線端末の許可後に、このさらなる移動無線端末をベースステーションに登録すること、およびベースステーションを、移動無線ネットワークへのアクセスポイントとして用いることが可能になる。
【０００９】
本発明のさらなる有利な実施形態が、下位請求項において特定される。
【００１０】
一時的または一般的なアクセス許可は、許可された移動無線端末内に格納するのが好ましい。特に、ベースステーションの識別子は、許可された移動無線端末内に格納することができ、それにより、許可された移動無線端末は、ベースステーションの範囲内に入るとすぐに、登録の試みを開始できるようになる。
【００１１】
第２の移動無線端末の一時的および／または手動の許可は、許可された移動無線端末から移動無線ネットワークへの許可メッセージの送信によって提供することが可能である。
【００１２】
その結果、それ自体は許可されていないさらなる移動無線端末のための例えば一時的および／または手動の解放は、許可された移動無線端末への確認および移動無線ネットワークへのかかる確認メッセージの送信によって、例えばベースステーションの所有者かメインユーザかまたは管理者により提供することができる。
【００１３】
許可されていない移動無線端末による登録の試みおよび／または接続を設定する試みは、対応するメッセージがベースステーションによって生成されるという点において、許可メッセージおよび／または手動許可の要求をベースステーションにおいてトリガするのが好ましい。これによって、許可されていない移動無線端末からベースステーションでの解放を要求することが可能になる。
【００１４】
一般的または一時的に許可された移動無線端末の識別は、例えばＭＳＩＳＤＮによって提供することができる。一般的または一時的に許可された移動無線端末の識別は、ベースステーションおよび／または移動無線ネットワークに格納することが可能である。
【００１５】
本発明による方法の２つの例示的な実施形態を、図に示し、以下のテキストで説明する。
【図面の簡単な説明】
【００１６】
【図１】第１の実施形態に従って、アクセスが制限されたベースステーションにおける移動無線端末の登録の図式表現を示す。
【図２】第２の実施形態に従って、アクセスが制限されたベースステーションにおける移動無線端末の登録の図式表現を示す。
【発明を実施するための形態】
【００１７】
図は、適切な、すなわちアクセスが制限されたベースステーション以上のことをするネットワークカバレッジのないエリアにおいて、移動無線ネットワークへの接続を設定するために、アクセスが制限されたベースステーションに移動無線端末を登録するための２つの変形を示す。
【００１８】
本方法の第１の実施形態において、許可されたアクセスポイントの割り当ては、図１に従って２つの部分プロセスで実行される。
１．所有者かメインユーザかまたは管理者の移動無線端末（Ａ）を用いた、アクセスポイントの所有者かメインユーザかまたは管理者による訪問移動無線ユニット（Ｂ）の許可。
２．訪問されたアクセスノード（Ｃ）を介した、移動無線ネットワーク（Ｄ）における訪問移動無線ユニット（Ｂ）の登録。
【００１９】
代替解決法は、図２に従う、本発明による方法の第２の実施形態に従う４段階プロセスからなる。
１．訪問されたアクセスノード（Ｃ）を介して、訪問移動無線ユニット（Ｂ）を移動無線ネットワーク（Ｄ）に登録する試み。
２．アクセスポイント（Ｃ）の所有者かメインユーザかまたは管理者（Ａ）における、訪問移動無線加入者（Ｂ）のための許可要求。
３．アクセスポイント（Ｃ）の所有者かメインユーザかまたは管理者（Ａ）による、訪問移動無線加入者（Ｂ）の許可。
４．訪問されたアクセスノード（Ｃ）を介した、移動無線ネットワーク（Ｄ）における訪問移動無線ユニット（Ｂ）の登録。
【００２０】
登録または登録の試みは、それぞれ、アクセスポイント（Ｃ）の所有者かメインユーザか管理者かまたは管理ユニット（Ａ）によって引き渡されるアクセスポイント識別に基づいて実行される。
【００２１】
代替として、このアクセスポイント識別は、訪問移動無線ユニット（Ｂ）において示される、現在利用可能なアクセスポイント（Ｃ）のリストから選択することができる。
【図１】
2011504700.tif 000003
【図２】
2011504700.tif 000004
【国際調査報告】
2011504700.tif 000005
2011504700.tif 000006
2011504700.tif 000007
2011504700.tif 000008
2011504700.tif 000009
2011504700.tif 000010